(57)【特許請求の範囲】
【請求項１】
マスター電子式キャッシュレジスタとスレーブ電子式キャッシュレジスタとよりなるＰＯＳシステムにおいて、前記マスター電子式キャッシュレジスタは限られた操作者のみ操作可能であり、第１の商品データを格納する第１のファイルと、前記第１のファイルに格納されている前記第１の商品データを変更するための第２の商品データを格納する第２のファイルと、前記第２のファイルの前記第２の商品データを変更するための第３の商品データを格納する第３のファイルと、前記第３のファイルを作成する手段と、前記第３のファイルを変更する第３ファイル変更手段と、前記第３ファイル変更手段を操作する操作キーと、前記第３のファイルの内容を前記第２のファイルに反映させる手段と、前記第２のファイルへの反映後前記第３のファイルの内容を消去する手段と、を備え、前記スレーブ電子式キャッシュレジスタは、前記第１のファイルと、前記第２のファイルと、前記第３のファイルと、前記第３のファイルを作成する手段と、前記第３のファイルの内容を前記第２のファイルに反映させる第３ファイル変更手段と、前記第２のファイルへの反映後前記第３のファイルの内容を消去する手段とを備え、前記第３ファイル変更手段をマスター電子式キャッシュレジスタ操作者のみ操作可能に制限したものであることを特徴とするＰＯＳシステム。
【請求項２】
前記第３のファイルの内容を公衆回線経由で送受信する手段を前記マスター電子式キャッシュレジスタと前記スレーブ電子式キャッシュレジスタと前記第３の商品データを配信するメンテナンス端末とに備えることを特徴とする請求項１に記載のＰＯＳシステム。
【請求項３】
前記マスター電子式キャッシュレジスタに、前記第３のファイルの内容と変換プログラムを公衆回線経由で送信する手段を設け、前記スレーブ電子式キャッシュレジスタに、前記変換プログラムにより前記第２のファイルを前記第３のファイルと同じフォーマットに変換する手段を設けたことを特徴とする請求項１に記載のＰＯＳシステム。
【発明の詳細な説明】
【０００１】
【産業上の利用分野】
本発明は、POSシステムに関し、特に、マスター電子式キャシュレジスタと複数のスレーブ電子式キャッシュレジスタを通信回線で接続した構成で、店舗データの変更を容易にしたPOSシステムに関する。
【０００２】
【従来の技術】
POS（販売時点情報管理）システムは、デパートやスーパーマーケット等で販売登録業務を処理する装置である。大規模なPOSシステムでは、複数の電子式キャッシュレジスタ（ECR）が、店全体の売上情報等を管理するホストコンピュータに伝送路で接続されている。ホストコンピュータには、全販売商品の商品情報や売上情報を格納したマスター商品ファイルが設けられている。売場ごとのファイル制御部には、管轄する売場で販売される商品の商品情報を格納したサブ商品ファイルが設けられている。ECRで商品のバーコードを読み取ると、商品コードはファイル制御部へ送信される。ファイル制御部は、商品コードでサブ商品ファイルを検索し、対応する商品情報を読み出して、ECRへ送信する。ECRは、この商品情報に基づいて、販売商品に対する登録処理を行う。
【０００３】
従来のPOSシステムは、図11に示すように、販売を行う複数のスレーブECR111と、販売と店舗データの管理を行うマスターECR112と、スレーブECR111とマスターECR112を接続する通信ライン113で構成されている。従来のスレーブECRは、図12に示すように、計算や入出力の制御を行うCPU121と、商品の登録や金額の入力を行うためのタッチパネル122と、操作者に登録内容を示すための表示器123と、スレーブECRの計算や制御のプログラムを記憶しておくプログラムメモリ124と、販売金額や個数を記憶しておく合計器メモリ125と、単価や商品名などを記憶しておく現行マスターファイル126と、売上データのマスターECRへの送信や、マスターファイルをマスターECRから受信するための通信回路127と、時刻や日付を記憶して置く時計回路で構成されている。従来のマスターECRは、図13に示すように、スレーブECRと同様の構成であるが、現行マスターファイルを変更したデータを書き込んだり、新たなデータを追加したりしておく将来マスターファイル131が追加されている。
【０００４】
現行マスターファイルの構成は、図14に示すように、商品の単価・商品名を記憶するテーブルや、キーの位置等を指定するテーブルや、時間帯毎の販売分析のテーブル等で構成されており、通常の販売は、このテーブルを使用して行われている。将来マスターファイルの構成は、図15に示すように、現行マスターファイルと同様の構成であるが、有効日付のエリアが追加されている。単価や商品名などを変更したり追加したりする場合には、このテーブルを現行マスターファイルで何時から使用するかという有効日付を設定しておく。使用開始日になると、将来マスターファイル131の内容が、全ECRの現行マスターファイルにコピーされる。
【０００５】
次に、従来のECRのキー処理の概略ルーチンを示す流れ図を図16に示す。図16を参照しながら、従来のECRのキー処理を説明する。登録キーが押された否かを判定する（ステップ161）。登録キーが押されたのであれば、登録処理を行う（ステップ168）。点検キーまたは精算キーが押されたか否かを判定する（ステップ162）。点検キーまたは精算キーが押されたのであれば、点検処理を行う（ステップ169）。将来マスターファイル設定キーが押されたか否かを判定する（ステップ163）。将来マスターファイル設定キーが押されたのであれば、将来マスターファイルの設定を行う（ステップ170）。オープンキーが押されたか否かを判定する（ステップ164）。オープンキーが押されていなければ、その他の処理を行う（ステップ171）。ECR内の前日の販売データや従業員の勤怠データ等をクリアするオープン処理を行う（ステップ165）。将来マスターファイルに設定データが有るか否かを判定する（ステップ167）。設定データがあれば、将来マスターファイルを設定する（ステップ172）。それ以外の時は、次のキー入力待ちを行う（ステップ161）。
【０００６】
現行マスターファイルのデータを使用して、商品販売の登録処理を行う（ステップ168）。処理終了後に、次のキー入力待ちを行う（ステップ161）。売上データの確認をする点検処理を行う（ステップ169）。または、売上データの確認及びクリアを行う精算処理を行う。処理終了後に、次のキー入力待ちを行う（ステップ161）。将来マスターファイルの設定を行う（ステップ170）。処理終了後に、次のキー入力待ちを行う（ステップ161）。その他の処理を行う（ステップ171）。処理終了後に、次のキー入力待ちを行う（ステップ161）。将来マスターファイルの有効日付エリアから有効日付を呼び出す（ステップ172）。ECRに内蔵されている時計から日付を呼び出す（ステップ173）。呼び出した有効日付と比較する（ステップ172）。有効日付を過ぎていなければ、次のキー入力待ちを行う（ステップ161）。将来マスターファイルを、現行マスターファイルにコピーし（ステップ174）、次のキー入力待ちを行う（ステップ161）。
【０００７】
【発明が解決しようとする課題】
しかしながら、従来のPOSシステムでは、将来マスターファイルの変更が大幅で、設定変更に数日を要するような場合、将来マスターファイルを変更していては、日々の対応が出来ないという問題があった。また、複数の店舗で同時に変更や追加を行う場合に、店舗間の同期を取ることが非常に困難であった。
【０００８】
本発明は、上記従来の問題を解決して、日々の変更や追加は従来通りに行うことができ、大幅な変更を行う時や、複数店舗で同期を取って変更・追加を行う時には、将来マスターファイルを容易に更新できるPOSシステムを提供することを目的とする。
【０００９】
【課題を解決するための手段】
上記の課題を解決するために、本発明では、マスター電子式キャッシュレジスタとスレーブ電子式キャッシュレジスタとを備えたPOSシステムのマスター電子式キャッシュレジスタに、現在の商品データを格納する現行マスターファイル（第１のファイル）と、現行マスターファイルの商品データを変更するための商品データを格納する将来マスターファイル（第２のファイル）と、将来マスターファイルの商品データを変更するための商品データを格納する第３マスターファイルと、第３マスターファイルを作成する手段と、第３マスターファイルの内容を将来マスターファイルに反映させる手段とを備え、スレーブ電子式キャッシュレジスタに、現行マスターファイルと、将来マスターファイルと、第３マスターファイルと、第３マスターファイルを作成する手段と、第３マスターファイルの内容を将来マスターファイルに反映させる手段とを備えた構成とした。このように構成したことにより、日々の店舗データの変更業務を妨げずに、大幅な店舗データの変更を、間違いを少なくして実行できる。
【００１０】
また、マスター電子式キャッシュレジスタとスレーブ電子式キャッシュレジスタとを備えたPOSシステムのマスター電子式キャッシュレジスタに、現在の商品データを格納する現行マスターファイルと、現行マスターファイルの商品データを変更するための商品データを格納する将来マスターファイルと、将来マスターファイルの商品データを変更するための商品データを格納する第３マスターファイルと、第３マスターファイルを作成する手段と、第３マスターファイルの内容を将来マスターファイルに反映させる手段とを備え、スレーブ電子式キャッシュレジスタに、現行マスターファイルと、将来マスターファイルとを備えた構成とした。このように構成したことにより、第３マスターファイルの変更は、セキュリティレベルの高い操作者のみできるようにして、データの安全性を向上させることができる。
【００１１】
また、マスター電子式キャッシュレジスタに、第３マスターファイルの内容を将来マスターファイルに反映後に第３マスターファイルの内容を削除する手段を設けた。このように構成したことにより、第３マスターファイル反映後に、同じ第３マスターファイルを使用すること防ぐことができる。
【００１２】
また、第３マスターファイルの内容を公衆回線経由で送受信する手段を備えた。このように構成したことにより、複数の店舗POSシステムで、同様のマスターファイルで、同期して変更を行うことができる。
【００１３】
また、マスター電子式キャッシュレジスタに、第３マスターファイルの内容と変換プログラムを公衆回線経由で送信する手段を設け、スレーブ電子式キャッシュレジスタに、変換プログラムにより将来マスターファイルを第３マスターファイルと同じフォーマットに変換する手段を設けた。このように構成したことにより、従来の店舗データを、第３マスターファイルで継続して使用することができる。
【００１４】
【発明の実施の形態】
以下、本発明の実施の形態について、図１〜図10を参照しながら詳細に説明する。
【００１５】
（第１の実施の形態）
本発明の第１の実施の形態は、現行マスターファイルと、将来マスターファイルと、第３マスターファイルを設け、日々の店舗データの変更には、将来マスターファイルを使用して現行マスターファイルを更新し、変更に２日以上の大幅な日数が必要な場合には、第３マスターファイルを使用して将来マスターファイルを更新するPOSシステムである。
【００１６】
図１は、本発明の第１の実施の形態におけるPOSシステムのマスターECRの内部構成を示す機能ブロック図である。図１において、CPU１は、計算や入出力の制御を行う処理装置である。タッチパネル２は、商品の登録や金額の入力を行う手段である。表示器３は、操作者に登録内容を示す手段である。プログラムメモリ４は、計算や制御プログラムを記憶しておくメモリである。合計器メモリ５は、販売金額や個数を記憶しておくメモリである。現行マスターファイル６は、単価や商品名などを記憶しておくファイルである。将来マスターファイル７は、現行マスターファイルを更新するために、商品データを変更したり新たな商品データを追加したりして作成するファイルである。通信回路８は、売上データの送信や、マスターファイルを受信するための通信手段である。時計回路９は、時刻や日付を記憶しておく手段である。第３マスターファイル10は、将来マスターファイルの作成準備のために、商品データを変更したり新たな商品データを追加したりして作成するファイルである。
【００１７】
図２は、本発明の第１の実施の形態におけるPOSシステムの設定画面を示す図である。図２において、将来設定キー21は、将来マスターファイルの変更メニューの表示を指示するためのタッチパネルキーである。第３データ設定キー22は、第３マスターファイルの変更メニューの表示を指示するためのタッチパネルキーである。第３データ反映キー23は、第３マスターファイルの現行マスターファイルへの変更反映日の入力メニューの表示を指示するためのタッチパネルキーである。終了キー24は、設定画面を終了して以前の画面の表示を指示するためのタッチパネルキーである。図３は、POSシステムのマスターファイル設定処理を示す概略流れ図である。
【００１８】
上記のように構成された本発明の第１の実施の形態におけるPOSシステムの動作を説明する。図１に示すように、マスターECRに、第３マスターファイル10が設けられている。スレーブECR及びマスターECRの設定画面は、図２に示すように、将来マスターファイルを変更するための将来設定キー21と、第３マスターファイルを変更するための第３データ設定キー22と、第３マスターファイルを将来マスターファイルに反映するための第３データ反映キー23と、設定画面を終了するための終了キー24を備えている。
【００１９】
図２に示す将来設定キー21を押すと、将来マスターファイルの変更メニューが表示され、将来マスターファイルの更新が出来る。変更終了後に、変更反映日を設定し、処理を終了する。有効日になると、将来マスターファイルの内容が、自動的に現行マスターファイルにコピーされ、販売に使用される。第３データ設定キー22を押すと、第３マスターファイルの変更メニューが表示され、第３マスターファイルの変更が出来る。第３データ反映キー23を押すと、第３マスターファイルの現行マスターファイルへの変更反映日の入力メニューが表示される。日付入力後に、第３マスターファイルを、将来マスターファイルにコピーするかの問い合わせメニューが表示される。コピーを許可すると、第３マスターファイルを将来マスターファイルにコピーすると共に、入力された日付を、将来マスターファイルの有効日付に設定する。終了キー24を押すと、設定画面を終了し、設定画面の以前の画面に戻る。
【００２０】
図３は、各ECRのマスターファイル設定の概略ルーチンを示す流れ図である。終了キーが押された否かを判定する（ステップ31）。終了キーの押下であれば、「その他の処理」に移る。それ以外の時は、将来設定キーが押された否かを判定する（ステップ32）。将来設定キーの押下であれば、将来マスターファイル変更ルーチン（ステップ38）に飛ぶ。それ以外の時は、第３データ設定キーが押された否かを判定する（ステップ33）。第３データ設定キーの押下であれば、第３マスターファイル変更ルーチン（ステップ39）に飛ぶ。それ以外の時は、第３データ反映キーが押された否かを判定する（ステップ34）。第３データ反映キーの押下であれば、第３データ（第３マスターファイルのデータ）の有無検査（ステップ40）に飛ぶ。それ以外の時は、将来マスターファイルの有効日付エリアから有効日付を呼び出し（ステップ35）、ECRに内蔵されている時計から日付を呼び出し、前のステップ35で呼び出した有効日付と比較する（ステップ36）。有効日付を過ぎていれば、将来マスターファイルを現行マスターファイルにコピーするステップ37に飛ぶ。それ以外では、処理を終了する。
【００２１】
将来マスターファイルの変更を行い（ステップ38）、処理を終了する。第３マスターファイルの変更を行い（ステップ39）、処理を終了する。第３マスターファイルのデータが存在するか否かを判定する（ステップ40）。データがなければ、処理を終了する。データがあれば、第３マスターファイルを、将来マスターファイルに上書きコピーする（ステップ41）。将来マスターファイルの有効日付エリアに、第３マスターファイルの変更反映日として入力された日付をコピーして、処理を終了する。
【００２２】
上記のように、本発明の第１の実施の形態では、POSシステムに、現行マスターファイルと、将来マスターファイルと、第３マスターファイルを設け、日々の店舗データの変更には将来マスターファイルを使用して現行マスターファイルを更新し、変更に２日以上の大幅な日数が必要な場合には第３マスターファイルを使用して将来マスターファイルを更新する構成としたので、日々の店舗データの変更は、将来マスターファイルを使用し、変更に大幅な日数が必要な場合には、第３マスターファイルを使用することで、日々の変更業務を妨げることなく、大幅な店舗データの変更に余裕を持って対応でき、設定の間違いを少なくすることができる。
【００２３】
（第２の実施の形態）
本発明の第２の実施の形態は、スレーブECRでは、第３マスターファイルを変更できないようにしたPOSシステムである。
【００２４】
図４は、本発明の第２の実施の形態におけるPOSシステムのスレーブECRでの設定画面を示す図である。図４において、将来設定キー21は、将来マスターファイルの変更メニューの表示を指示するためのタッチパネルキーである。第３データ設定キー41は、無効なタッチパネルキーである。第３データ反映キー42は、無効なタッチパネルキーである。終了キー24は、設定画面を終了して以前の画面の表示を指示するためのタッチパネルキーである。
【００２５】
上記のように構成された本発明の第２の実施の形態におけるPOSシステムの動作を説明する。スレーブECRでは、第３マスターファイルの変更ができないようにしてある。スレーブECR設定の設定画面は、図４に示ように、第３データ設定キー41と第３データ反映キー42を備えているが、各々のキーは押されても反応しないようにしてあり、キーが操作できないことを操作者に判らせるために、他のキーと異なる色を使用している。
【００２６】
図５は、本発明の第２の実施の形態におけるPOSシステムのマスターファイル設定処理の概略ルーチンを示す流れ図である。マスターECRかどうかの判定ステップ51が追加されている。マスターECRか否かを判定する（ステップ51）。マスターECRであれば、第３マスターファイル変更ルーチン（ステップ51）に飛ぶ。スレーブECRであれば、処理ルーチンを終了する。その他の概略フローは、図３に示した第１の実施の形態と同様である。
【００２７】
上記のように、本発明の第２の実施の形態では、POSシステムのスレーブECRでは、第３マスターファイルを変更できないように構成したので、スレーブECRでの変更を、セキュリティレベルが高い、マスターECRが操作可能な操作者に制限することにより、データの安全性を向上させることができる。
【００２８】
（第３の実施の形態）
本発明の第３の実施の形態は、第３マスターファイルを将来マスターファイルにコピー後に、第３マスターファイルを削除するPOSシステムである。
【００２９】
図６は、本発明の第３の実施の形態におけるPOSシステムのマスターファイル設定処理の概略ルーチンを示す流れ図である。第３マスターファイルを削除するステップ61が追加されている。第３マスターファイルを将来マスターファイルにコピーした後に、第３マスターファイルを削除する（ステップ61）。その他の概略フローは、図３に示した第１の実施の形態と同様である。
【００３０】
第３マスターファイルを変更する目的は、大幅な変更に対応することである。一度使用した第３マスターファイルを、再度使用することを不可能にする。これにより、店舗での混乱と、反映後のミスを少なくすることができる。
【００３１】
上記のように、本発明の第３の実施の形態では、POSシステムの第３マスターファイルを将来マスターファイルにコピー後に、第３マスターファイルを削除する構成としたので、操作ミスを防ぐことができる。
【００３２】
（第４の実施の形態）
本発明の第４の実施の形態は、第３マスターファイルを、公衆回線経由でマスターECRにダウンロードするPOSシステムである。
【００３３】
図７は、本発明の第４の実施の形態におけるPOSシステムの店舗データ配信システムの機能ブロック図である。図７において、マスターECR71は、公衆回線通信機能をECRである。公衆回線72は、公衆電話回線などの通信回線である。メンテナンス端末73は、第３マスターファイルを配信する端末である。
【００３４】
上記のように構成された本発明の第４の実施の形態におけるPOSシステムの動作を説明する。公衆回線を利用した店舗データ配信システムでは、図７に示すように、第３マスターファイルを配信するためのメンテナンス端末73を、公衆回線72に接続する。マスターECR71に、公衆回線通信機能を設ける。マスターECR71を、公衆回線72と接続する。マスターECR71とメンテナンス端末73が通信する。
【００３５】
図８は、本発明の第４の実施の形態におけるPOSシステムの第３マスターファイルのデータ処理の概略ルーチンを示す流れ図である。第３マスターファイルの設定キーの押下か否かを判定する（ステップ81）。設定キーの押下であれば、第３マスターファイルの変更処理ルーチン（ステップ84）に飛ぶ。スレーブECRから通信回線で受信したデータが、第３マスターファイルの設定コマンドであるか否かを判定する（ステップ82）。設定コマンドであれば、第３マスターファイルの変更処理ルーチン（ステップ84）に飛ぶ。メンテナンス端末から公衆回線経由で受信したデータが、第３マスターファイルのデータであるか否かを判定する（ステップ83）。第３マスターファイルのデータであれば、受信データのコピールーチン（ステップ85）に飛ぶ。それ以外の時は、他の処理を実行するルーチンに飛ぶ。第３マスターファイルを、指示に従って変更し（ステップ84）、設定キー押下の検査（ステップ81）に飛ぶ。受信したデータを第３マスターファイルにコピーし（ステップ85）、処理を終了する。
【００３６】
例えば、多数のチェーン店を持ち、複数の店舗で同様の変更が必要な時に、メンテナンス端末から一斉に全店舗に配信する。こうしても、店舗オペレーションに影響させずに、第３マスターファイルのデータを変えることができるので、各店舗での処理負荷を減らすことができる。また、公衆回線を使用することで、短時間に複数店舗の店舗データを変更することもできる。
【００３７】
上記のように、本発明の第４の実施の形態では、POSシステムの第３マスターファイルを、公衆回線経由でマスターECRにダウンロードする構成としたので、容易に商品データの一斉更新ができる。
【００３８】
（第５の実施の形態）
本発明の第５の実施の形態は、第３マスターファイルのデータと変換プログラムを、公衆回線経由でマスターECRにダウンロードするPOSシステムである。
【００３９】
図９は、本発明の第５の実施の形態におけるPOSシステムのマスターECRの内部構成を示す機能ブロック図である。図９において、変換プログラムファイル91は、フォーマットを変換するプログラムを格納したファイルである。公衆通信回路92は、公衆電話回線などの通信回線と通信するための回路である。
【００４０】
上記のように構成された本発明の第５の実施の形態におけるPOSシステムの動作を説明する。図10は、マスターECRで第３マスターファイルの設定処理を行う概略ルーチンを示す流れ図である。変換プログラムを受信しているか否かを判定する（ステップ101）。受信していなければ、第３マスターファイルのコピー（ステップ103）に飛ぶ。将来マスターファイルの構造を、新しいデータ構造に変換する（ステップ102）。第３マスターファイルを、将来マスターファイルにコピーすると共に、将来マスターファイルに有効日付を設定して（ステップ103）終了する。
【００４１】
このようにして、当初プログラムを作成したときに時に予測できなかった変更を可能にする。例えば、商品コードが10桁から14桁に変わった様な場合は、変換プログラムを、第３マスターファイルのデータと共に送信することにより、使用中の店舗データを継続して使用することができる。
【００４２】
上記のように、本発明の第５の実施の形態では、POSシステムの第３マスターファイルのデータと変換プログラムを、公衆回線経由でマスターECRにダウンロードする構成としたので、以前の商品データのファイルを変換して使用することができる。
【００４３】
【発明の効果】
以上の説明から明らかなように、本発明では、マスターECR内に、現行マスターファイル及び将来マスターファイルとは別に、第３マスターファイルを設けたので、日々の単価や商品名などの変更・追加は、将来マスターファイルで行い、大幅な変更は、予め第３マスターファイルで作業を実施して、設定の確認が終了した後に、必要な時に第３マスターファイルを将来マスターファイルにコピーすることにより、大幅な単価・商品名・キーレイアウト等の店舗データの変更が発生した時でも、日々の販売データの変更業務を妨げることなく、正確にマスターファイルを更新することができる。
【００４４】
また、第３マスターファイルの内容を公衆回線経由で送受信することにより、同様の店舗データに基づいて複数店舗で同期を取って容易に変更することもできる。
【図面の簡単な説明】
【図１】本発明の第１の実施の形態におけるPOSシステムのマスターECRの内部構成を示す機能ブロック図、
【図２】本発明の第１の実施の形態におけるPOSシステムの設定画面を示す図、
【図３】本発明の第１の実施の形態におけるPOSシステムのマスターファイル設定処理の概略ルーチンを示す流れ図、
【図４】本発明の第２の実施の形態におけるPOSシステムのスレーブECR設定画面を示す図、
【図５】本発明の第２の実施の形態におけるPOSシステムのマスターファイル設定処理の概略ルーチンを示す流れ図、
【図６】本発明の第３の実施の形態におけるPOSシステムのマスターファイル設定処理の概略ルーチンを示す流れ図、
【図７】本発明の第４の実施の形態におけるPOSシステムの店舗データ配信システムの機能ブロック図、
【図８】本発明の第４の実施の形態におけるPOSシステムの第３マスターファイルのデータ処理の概略ルーチンを示す流れ図、
【図９】本発明の第５の実施の形態におけるPOSシステムのマスターECRの内部構成を示す機能ブロック図、
【図１０】本発明の第６の実施の形態におけるPOSシステムのマスターファイル設定処理の概略ルーチンを示す流れ図、
【図１１】従来のPOSシステムの構成を示す機能ブロック図、
【図１２】従来のスレーブECRの内部構成を示す機能ブロック図、
【図１３】従来のマスターECRの内部構成を示す機能ブロック図、
【図１４】従来の現行マスター構成を示す図、
【図１５】従来の将来マスター構成を示す図、
【図１６】従来のECRのキー処理の概略ルーチンを示す流れ図である。
【符号の説明】
１,121  CPU
２,122  タッチパネル
３,123  表示器
４,124  プログラムメモリ
５,125  合計器メモリ
６,126  現行マスターファイル
７,131  将来マスターファイル
８,127  通信回路
９,128  時計回路
10  第３マスターファイル
21  将来設定キー
22,41  第３データ設定キー
23,42  第３データ反映キー
24  終了キー
31  終了判定
71,112  マスターECR
72  公衆回線
73  メンテナンス端末
91  変換プログラムファイル
92  公衆通信回路
111  スレーブECR
113  通信ライン
【図１】
0004136438.tif 000002
【図２】
0004136438.tif 000003
【図３】
0004136438.tif 000004
【図４】
0004136438.tif 000005
【図５】
0004136438.tif 000006
【図６】
0004136438.tif 000007
【図７】
0004136438.tif 000008
【図８】
0004136438.tif 000009
【図９】
0004136438.tif 000010
【図１０】
0004136438.tif 000011
【図１１】
0004136438.tif 000012
【図１２】
0004136438.tif 000013
【図１３】
0004136438.tif 000014
【図１４】
0004136438.tif 000015
【図１５】
0004136438.tif 000016
【図１６】
0004136438.tif 000017